(57)【要約】【課題】セパレータを剥離しても不用意に折れ曲がったり千切れたりすることがなく、被着体への貼付作業性に優れるとともに、被着体に貼り付けた際に被着体側の文字や絵柄等の表示物が接着層の表面に透けて見えることを防止し、情報表示層によって表示される情報を明瞭に目視可能とするのに好適な配送伝票を提供する。【解決手段】配送伝票Ｄは、セパレータ５から粘着剤４の層に向けて切り込み形成されるとともに、当該セパレータ５を剥離したときに、第１のハーフカット部７の下方に補強部Ｒとして当該セパレータ５の一部が残るようにする第２のハーフカット部８、を備えるものとする。また、補強部Ｒとして残るセパレータ５の一部と粘着剤４の層との間に、情報を表示するための情報表示層６Ａが設けられるようにする。【選択図】図１
2010228438.tif 000002
【特許請求の範囲】
【請求項１】
接着力を有する透視可能な接着層と、
前記接着層の上面に貼付されるとともに、その接着層に剥離剤を介して接着される分離票部と剥離剤を介さずに接着される本票部とを有する基材と、
前記接着層の下面に粘着剤を介して貼付される剥離可能なセパレータと、
前記セパレータと前記粘着剤の層との間に設けられる情報表示層と、
前記基材から前記接着層に向けて切り込み形成されるとともに、当該基材を前記本票部と分離票部の領域に区切る第１のハーフカット部と、
前記セパレータから前記粘着剤の層に向けて切り込み形成されるとともに、当該セパレータを剥離したときに、前記第１のハーフカット部の下方に補強部として当該セパレータの一部が残るようにする第２のハーフカット部と、
を備えることを特徴とする配送伝票。
【請求項２】
前記情報表示層は、少なくとも前記補強部として残るセパレータの一部と前記粘着剤の層との間に位置することを特徴とする請求項１に記載の配送伝票。
【請求項３】
前記接着層は、接着剤をフィルム状に硬化させた構造、または接着力のないフィルムの表面に前記本票部を接着するための接着剤を塗布し硬化させた構造からなることを特徴とする請求項１又は２に記載の配送伝票。
【請求項４】
前記セパレータには、前記第１のハーフカット部と対応する位置に剥離剤が塗布されていないことを特徴とする請求項１〜３のいずれか１項に記載の配送伝票。
【請求項５】
前記補強部が前記第２のハーフカット部で囲まれており、第２のハーフカット部の外側のセパレータが一連に繋がっていることを特徴とする請求項１〜４のいずれか１項に記載の配送伝票。
【発明の詳細な説明】
【技術分野】
【０００１】
本発明は、商品等の配送に使用される配送伝票に関し、特に、被着体への貼付作業性に優れ、また、情報表示層によって表示される挨拶文やロゴ等の情報を明瞭に目視可能としたものである。
【背景技術】
【０００２】
商品等の配送に使用される配送伝票としては、例えば、特許文献１の図２に開示されている配送伝票が知られている。この配送伝票は、図７に示したように、フィルムや接着剤からなる透視可能な接着層１と、接着層１の上面に貼付されるとともに、その接着層１に剥離剤２を介して接着される分離票部３Ａと剥離剤２を介さずに接着される本票部３Ｂとを有する基材３と、接着層１の下面に粘着剤４を介して貼付される剥離可能なセパレータ５と、セパレータ５と粘着剤４の層との間に設けられる情報表示層６と、基材３から接着層１に向けて切り込み形成されるとともに、当該基材３を本票部３Ｂと分離票部３Ａの領域に区切るハーフカット部７とを備えて構成されている。
【０００３】
前記本票部３Ｂは配送伝票Ｄの貼付票となるものであり、また、前記分離票部３Ａは配送伝票Ｄの配達票になるものであって、その本票部３Ｂと分離票部３Ａの表面には、それぞれ各種配送情報が記載される。
【０００４】
ところで、この図５のような従来の配送伝票Ｄは、図８（ａ）（ｂ）のように、裏面のセパレータ５を剥離し、剥離によって露出した粘着剤４を利用して被着体Ｗ（配送すべき商品）に貼付される。
【０００５】
しかしながら、図５のような従来の配送伝票Ｄによると、先に説明した通り基材３にハーフカット部７が形成されているため、セパレータ５の剥離後は、ハーフカット部７が折り目になって配送伝票Ｄ全体が折れ曲がり易く、配送伝票Ｄを被着体Ｗに貼付し辛いという問題点がある。
【０００６】
また、図５のような従来の配送伝票Ｄにあっては、分離票部３Ａを剥離したときに情報表示層６によって表示される情報を接着層１の表面側から目視可能とするために、接着層１と粘着剤４は双方とも透明など、透視可能になっている。このため、図８（ｂ）のように配送伝票Ｄを被着体Ｗに貼付した後、分離票部３Ａを剥離すると、接着層１の表面には情報表示層６によって表示される情報だけでなく、その情報表示層６の下にある被着体Ｗ側の文字や絵柄等の表示物Ｐも透けて見えてしまい、その表示物Ｐと当該情報とが重なって干渉し、当該情報を明瞭に目視することができないという問題点もある。
【０００７】
さらに、この従来の配送伝票Ｄにおいては、接着層１を構成するフィルムや接着剤の層が薄い。したがって、基材３の表面からハーフカット加工の刃を入れたときに接着層１まで到達して切れてしまう恐れがあるので、ハーフカット部７を安定して加工することが極めて難しい。このため、ハーフカット加工を施す際に、相当な加工精度がなければ接着層１を構成するフィルム等に傷が入り、セパレータ５を剥がしたときにフィルムが千切れてしまい、情報を支持することができなくなるという問題があった。
【先行技術文献】
【特許文献】
【０００８】
【特許文献１】特開２００１−１５９８６８号公報
【発明の概要】
【発明が解決しようとする課題】
【０００９】
本発明は前記問題点を解決するためになされたもので、その目的とするところは、セパレータを剥離しても不用意に折れ曲がったり千切れたりすることがなく、被着体への貼付作業性に優れるとともに、被着体に貼り付けた際に被着体側の文字や絵柄等の表示物が接着層の表面に透けて見えることを防止し、情報表示層によって表示される情報を明瞭に目視可能とするのに好適な配送伝票を提供することにある。
【課題を解決するための手段】
【００１０】
前記目的を達成するために、本発明は、接着力を有する透視可能な接着層と、前記接着層の上面に貼付されるとともに、その接着層に剥離剤を介して接着される分離票部と剥離剤を介さずに接着される本票部とを有する基材と、前記接着層の下面に粘着剤を介して貼付される剥離可能なセパレータと、前記セパレータと前記粘着剤の層との間に設けられる情報表示層と、前記基材から前記接着層に向けて切り込み形成されるとともに、当該基材を前記本票部と分離票部の領域に区切る第１のハーフカット部と、前記セパレータから前記粘着剤の層に向けて切り込み形成されるとともに、当該セパレータを剥離したときに、前記第１のハーフカット部の下方に補強部として当該セパレータの一部が残るようにする第２のハーフカット部と、を備えることを特徴とする。
【００１１】
ここで、本発明における「本票部」とは、被着体に貼付されたまま残る伝票をいい、送り主や送り先等の配達情報が記載された貼付票がこれに相当する。また、「分離票部」とは、本票部から切り離して使用する伝票をいい、配達記録として配達情報や受領印欄が記載された配達票、受領票、配達票兼受領票等がこれに相当する。
【００１２】
前記本発明において、前記情報表示層は、少なくとも前記補強部として残るセパレータの一部と前記粘着剤の層との間に位置するように構成することができる。
【００１３】
前記本発明において、前記接着層は、接着剤をフィルム状に硬化させた構造、または接着力のないフィルムの表面に前記本票部を接着するための接着剤を塗布し硬化させた構造からなるものであってもよい。
【００１４】
前記本発明において、前記セパレータには、前記第１のハーフカット部と対応する位置に剥離剤が塗布されていないことが好ましい。
【００１５】
前記本発明において、前記補強部が前記第２のハーフカット部で囲まれており、第２のハーフカット部の外側のセパレータが一連に繋がっているとよい。
【発明の効果】
【００１６】
本発明にあっては、配達伝票の具体的な構成として、前記の通り「セパレータから粘着剤の層に向けて切り込み形成されるとともに、当該セパレータを剥離したときに、前記第１のハーフカット部の下方に補強部として当該セパレータの一部が残るようにする第２のハーフカット部」を備える構成を採用した。このため、セパレータを剥離しても、そのセパレータの一部が支えとなって第１のハーフカット部の下方を補強するから、セパレータの剥離によって露出した粘着剤を利用して配送伝票を被着体へ貼り付ける際に、第１のハーフカット部を折り目として配送伝票が不用意に折れ曲がったり千切れたりすることがなくなり、配送伝票の貼付作業性の向上を図れる。
【００１７】
また、本発明によると、本配送伝票はセパレータを剥離して被着体に貼付されるが、その際、補強部として残るセパレータの一部が情報表示層の背景になる。このため、少なくともその補強部を透視不可の素材（例えば透けない紙類）で構成することにより、被着体側の文字や絵柄等の表示物が接着層の表面に透けて見えることはなく、情報表示層によって表示される情報は明瞭に目視できるという作用効果も奏し得られる。
【図面の簡単な説明】
【００１８】
【図１】本発明の一実施形態である配送伝票の断面図である。
【図２】（ａ）は図１の配送伝票の部分平面図、（ｂ）は同配送伝票の部分裏面図である。
【図３】（ａ）は図１の配送伝票からセパレータを剥離する説明図、（ｂ）はセパレータを剥離した図１の配送伝票を被着体に貼付する説明図である。
【図４】本発明の他の実施形態である配送伝票の断面図である。
【図５】本発明の配送伝票の変形例を示す断面図である。
【図６】本発明の配送伝票をセパレータ側から見た裏面図である。
【図７】従来の配送伝票の断面図である。
【図８】（ａ）は図７の配送伝票からセパレータを剥離する説明図、（ｂ）はセパレータを剥離した配送伝票を被着体に貼付する説明図である。
【発明を実施するための形態】
【００１９】
以下、本発明を実施するための最良の形態について、添付した図面を参照しながら詳細に説明する。
【００２０】
＜配送伝票の概要＞
図１に示す本配送伝票Ｄは、接着力を有する透視可能な接着層１と、接着層１の上面に貼付されるとともに、その接着層１に剥離剤２を介して接着される分離票部３Ａと剥離剤２を介さずに接着される本票部３Ｂとを有する基材３と、接着層１の下面に粘着剤４を介して貼付される剥離可能なセパレータ５と、セパレータ５と粘着剤４の層との間に設けられる情報表示層６Ａ、６Ｂと、基材３から接着層１に向けて切り込み形成されるとともに、当該基材３を本票部３Ｂと分離票部３Ａの領域に区切る第１のハーフカット部７と、セパレータ５から粘着剤４の層に向けて切り込み形成されるとともに、当該セパレータ５を剥離したときに、第１のハーフカット部７の下方に補強部Ｒとして当該セパレータ５の一部が残るようにする第２のハーフカット部８と、を備える。
【００２１】
＜接着層１の詳細＞
前記接着層１は、図１のように、接着剤をフィルム状に硬化させた構造を採用することができるほか、図４のように、接着力のない樹脂製等のフィルム１Ａの表面に本票部３Ｂを接着するための接着剤１Ｂを塗布し硬化させた構造を採用することもできる。この構造の場合も、分離票部３Ａは剥離剤２によりフィルム１Ａから剥離可能になっている。
【００２２】
本配送伝票Ｄを実際に使用するときには、基材３の表面側から接着層１と粘着剤４の層を通して情報表示層６Ａ、６Ｂから挨拶文やロゴ等の情報をユーザが読み取ることになるので、接着層１は、無色透明か有色透明等のように透視し易いものが望ましいが、透視可能であるなら接着層１は多少透明性を欠いてもよい。
【００２３】
＜基材３の詳細＞
図示は省略するが、前記基材３の本票部３Ｂと分離票部３Ａの表面には、それぞれ配送先、配送元、商品名の他に配達指定日や配達時間帯など、各種配送情報を記載する伝票記載欄（図示省略）が印刷されており、本票部３Ｂが本配送伝票Ｄの貼付票となり、分離票部３Ａが本配送伝票Ｄの配達票になる。
【００２４】
この種の基材３は上質紙で形成することができるが、上質紙以外に、例えば合成紙、再生紙、サーマル紙等の紙類、又は、紙以外の材質、例えばプラスチックのシートで形成することもでき、その材質は特に限定されない。
【００２５】
前記剥離剤２は、分離票部３Ａの裏面のみに設けられていて、接着層１から分離票部３Ａを剥離可能にしている。この種の剥離剤２としては、例えば、主成分にシリコーン等の離型剤が含有された各種の紫外線硬化型インキを用いることができる。かかるインキを剥離剤２として利用する場合は、当該インキを分離票部３Ａの裏面に印刷して乾燥させることで、分離票部３Ａの裏面に剥離剤２を設けることができる。
【００２６】
＜セパレータ５の詳細＞
前記セパレータ５は、先に説明した紫外線硬化型インキ等の剥離剤２を塗布した用紙やプラスチックシート等の素材で構成することができ、その剥離剤２の塗布面を粘着剤４の層に貼り合せることによって、当該粘着剤４の層から剥離できるように構成してある。
【００２７】
前記粘着剤４については、アクリル系糊、ゴム系の天然ゴム糊、合成ゴム糊、あるいは天然ゴム糊と合成ゴム糊を混ぜ合わせた糊など、各種の糊類を採用することができ、その種類は問わず、セパレータ５を接着層１側に接着できるものであればよい。この粘着剤４の層も、先に説明した接着層１と同じ理由で、無色透明か有色透明等のように透視し易いものが望ましいが、透視可能であるなら粘着剤４は多少透明性を欠いてもよい。
【００２８】
＜第１のハーフカット部７の詳細＞
前記基材３の第１のハーフカット部７は、図２（ａ）（ｂ）のように基材３の長手方向中央付近を横断することで、基材３の約左半分を本票部３Ｂ、同基材３の約右半分を分離票部３Ａとして２つの領域に区切っている。この区切り方は一例であり、例えば分離票部３Ａの全外周に第１のハーフカット部７を設けることで、当該基材３を本票部３Ｂと分離票部３Ａの領域に区切る方法もある。
【００２９】
第１のハーフカット部７の切込み深さは、基材３表面から該基材３とその下の接着層１との界面付近まで達する深さに設定してある。基材３から分離票部３Ａを分離可能とするにはその切り込み深さで十分だからである。
【００３０】
＜第２のハーフカット部８の詳細＞
図２（ａ）（ｂ）から分かるように、前記セパレータ５の第２のハーフカット部８は、配送伝票Ｄを上面又は裏面からみた状態において、基材３の第１のハーフカット部７に重なることなく、第１のハーフカット部７の両側に配置されるように形成してある。この両側の第２のハーフカット部８で挟まれた領域（セパレータ５の一部）が、セパレータ５を剥離したときに、第１のハーフカット部７の下方に補強部Ｒとして残り、配送伝票Ｄ全体の折曲げ強度低下を防止する。
【００３１】
第２のハーフカット部８の切込み深さは、セパレータ５表面から該セパレータ５とその上の粘着剤４の層との界面付近まで達する深さに設定してある。セパレータ５からその一部を切り離して前記のように残すにはその切り込み深さで十分だからである。
【００３２】
＜情報表示層６Ａ、６Ｂの詳細＞
前記情報表示層６Ａ、６Ｂは、例えば、セパレータ５の表面（剥離剤２が塗布されている面）に所定情報を印刷し、その印刷面を粘着剤４の層に貼り合せることによって、セパレータ５と粘着剤４の層との間に設けることができる。この情報表示層６Ａ、６Ｂで表示する情報としては挨拶文、会社名や商品名などを図案化したロゴ等が考えられるが、これらに限定されることはなく、かかる情報は必要に応じて適宜選択することができる。
【００３３】
セパレータ５の表面には予め剥離剤２が塗布されているので、そのセパレータ５表面に印刷した所定情報は、セパレータ５を剥離したときに、粘着剤４の層側へ転写されて残るようになっている。
【００３４】
本配送伝票Ｄでは、セパレータ５を剥離したときに補強部Ｒとして残る当該セパレータ５の一部と粘着剤４の層との間にも、情報表示層６Ａを設けており、この情報表示層６Ａは、特に挨拶文やロゴ等のように価値の高い情報の表示を行うのに好適である。その理由は次の通りである。
【００３５】
本配送伝票Ｄはセパレータ５を剥離して被着体Ｗに貼付されるが（図３（ｂ）参照）、その際、補強部Ｒとして残るセパレータ５の一部が情報表示層６Ａの背景になる。このため、少なくともその補強部Ｒを透視不可の素材（例えば透けない紙類）で構成することにより、被着体側の文字や絵柄等の表示物Ｐが情報表示層６Ａに透けて見えることはなく、情報表示層６Ａによって表示される情報は明瞭に目視できるようになる。
【００３６】
＜本配送伝票の使用方法など＞
次に、本配送伝票Ｄの使用例について図１と図３（ａ）（ｂ）を基に説明する。なお、以下では、通信販売業者や百貨店業者など、商品を販売する業者に本配送伝票Ｄを配布した例について説明する。
【００３７】
図１に示したように、当該業者に配布した本配送伝票Ｄには、その製造段階で、当該業者の要求を基に、挨拶文や当該業者のロゴ等の情報を表示する情報表示層６Ａ、６Ｂが形成されるが、定型の挨拶文等の情報を情報表示層６Ａ、６Ｂで表示させるようにしてもよい。
【００３８】
商品の注文を受けた当該業者は、本配送伝票Ｄの本票部３Ｂと分離票部３Ａの表面に所定事項（配送先、配送元、商品名の他に配達指定日や配達時間帯などの各種配送情報）を記入する。所定事項の記入はプリンタによる印刷でも手書きでもよい。
【００３９】
所定事項の記入が済んだら、図３（ａ）のように本配送伝票Ｄからセパレータ５を剥離し、剥離で露出した粘着剤４を利用して本配送伝票Ｄを図３（ｂ）のように被着体Ｗ（配送すべき商品）に貼り付ける。
【００４０】
前記のようにセパレータ５を剥離すると、配送伝票Ｄ全体の折曲げ強度は低下し、配送伝票Ｄは基材３の第１のハーフカット部７を切掛けとして折れ曲がり易くなるが、本配送伝票Ｄによると、図３（ａ）（ｂ）のように第１のハーフカット部７の下方に補強部Ｒとして当該セパレータ５の一部が残っているので、第１のハーフカット部７を切掛けとした配送伝票Ｄの折れ曲がりは抑制される。従って、配送伝票が折れ曲がって被着体に貼り付け難いといった煩わしさ・不具合もなく、手際よくスムーズに配送伝票の貼付作業を行うことができる。
【００４１】
さらに、本配送伝票Ｄによると、補強部Ｒとして残るセパレータ５の一部が情報表示層６Ａの背景になり、被着体Ｗ側の絵柄等の表示物Ｐが接着層１の表面に透けて見えることはなく、どのような表示物Ｐの上に配送伝票Ｄを貼付しても、その情報表示層６Ａによって表示される情報は明瞭に目視できる。また、このことから、被着体Ｗ側の絵柄等の表示物Ｐの位置を気にすることなく、自由に配送伝票Ｄを貼付でき、そのような表示物Ｐとの関係で配送伝票Ｄの貼付位置を調整する等の煩わしい作業を行わずに済むという利点もある。
【００４２】
＜配送伝票の変形例＞
上述した実施形態の配送伝票Ｄでは、セパレータ５の一部に補強部Ｒを残すようにしたが、セパレータ５の表面には剥離剤２が全面的に塗布されている。このため、基材３の表面から切り込み形成した第１のハーフカット部７が接着層１にまで及んだ場合、セパレータ５を剥離する際に補強部Ｒも一緒に剥がれてしまう可能性がある。
【００４３】
そこで、図５に示す配送伝票Ｄにおいては、セパレータ５について部分的に剥離剤２を抜くようにした。すなわち、セパレータ５の補強部Ｒには、第１のハーフカット部７と対応する位置に剥離剤２を塗布しない剥離剤非塗布部２ａが設けられている。その他の構造は上述した実施形態と同様である。
【００４４】
このような構造によると、仮に基材３のハーフカット加工時に接着層１にまで切り込みが入ってしまっても、剥離剤非塗布部２ａでは粘着剤４とセパレータ５が剥離剤２を介さずに直に接着されているため、セパレータ５を剥離する際に補強部Ｒが剥がれるのを防ぐことができる。したがって、第１のハーフカット部７の加工時に高度な加工精度が要求されず、安定したハーフカット加工を施すことが可能になる。なお、セパレータ５に塗布する剥離剤２の面積が少なくて済むので、製造コストの削減にも繋がる。
【００４５】
また、上述した実施形態の配送伝票Ｄでは、図２（ａ）に示したように基材３の中央に第１のハーフカット部７が形成され、図２（ｂ）に示したようにセパレータ５には第１のハーフカット部７の両側に第２のハーフカット部８，８が形成されている。このため、第２のハーフカット部８，８よりも外側に２箇所のセパレータ５，５の剥離部分が配置されており、オートラベラーによって配送伝票Ｄからセパレータ５を一度に剥離して自動貼付するのに適していない。
【００４６】
そこで、図６に示す配送伝票Ｄにおいては、第２のハーフカット部８をセパレータ５の内側領域に配置するようにした。すなわち、配送伝票Ｄの裏面には、第２のハーフカット部８で囲まれた短冊状の補強部Ｒが設けられており、この補強部Ｒがセパレータ５の中央に配置されている。また、配送伝票Ｄの表面には、補強部Ｒを横切るようにして第１のハーフカット部７が形成されており、分離票部３Ａと本票部３Ｂが基材３の上下に並べて配置されている。なお、符号９は連続用紙を複数の配送伝票Ｄ，Ｄ，…に切断するための切断予定線である。
【００４７】
このような構造によると、第２のハーフカット部８の外側にあるセパレータ５が一連に繋がっているため、使用時にセパレータ５を一度に剥離することができる。このため、オートラベラーでセパレータ５を剥離しながら連続用紙を切断予定線９，９，…でカットしていくことによって、配送伝票Ｄを被着体に連続して貼り付けることができる。したがって、本実施形態の配送伝票Ｄによれば、オートラベラーを利用して自動貼付するのに好適である。
【符号の説明】
【００４８】
Ｄ  配送伝票
Ｒ  補強部
１  接着層
２  剥離剤
２ａ  剥離剤非塗布部
３  基材
３Ａ  分離票部
３Ｂ  本票部
４  粘着剤
５  セパレータ
６Ａ、６Ｂ  情報表示層
７  第１のハーフカット部
８  第２のハーフカット部
９  切断予定線
【図１】
2010228438.tif 000003
【図２】
2010228438.tif 000004
【図３】
2010228438.tif 000005
【図４】
2010228438.tif 000006
【図５】
2010228438.tif 000007
【図６】
2010228438.tif 000008
【図７】
2010228438.tif 000009
【図８】
2010228438.tif 000010